(57)【要約】      （修正有）【課題】振動を受けると、発光ダイオードが自動的に点灯して一定時間点灯した後に、自動的に消灯する簡易な電子回路で構成される電灯を提供する。【解決手段】正極接続端子２と負極接続端子３と発光ダイオード４と振動センサ５と電解コンデンサ６と抵抗７とバイポーラNPN型トランジスタ８から構成される。発光ダイオード４は、アノード端子とカソード端子を有する。振動センサ５は、振動センサ第一端子と振動センサ第二端子を有する。電解コンデンサ６は、電解コンデンサ正極端子と電解コンデンサ負極端子を有する。抵抗７は、抵抗第一端子と抵抗第二端子を有する。バイポーラNPN型トランジスタ８は、ベース端子とコレクタ端子とエミッタ端子を有する。【選択図】図１
2014007035.tif 000002
【特許請求の範囲】
【請求項１】
振動を受けると、発光ダイオードが自動的に点灯して一定時間点灯した後に、自動的に消灯する電灯であって、
正極接続端子と、負極接続端子と、前記発光ダイオードと、振動センサと、電解コンデンサと、抵抗と、バイポーラNPN型トランジスタと、を備え、
前記発光ダイオードは、アノード端子とカソード端子を有し、
前記振動センサは、振動センサ第一端子と振動センサ第二端子を有し、
前記電解コンデンサは、電解コンデンサ正極端子と電解コンデンサ負極端子を有し、
前記抵抗は、抵抗第一端子と抵抗第二端子を有し、
前記バイポーラNPN型トランジスタは、ベース端子とコレクタ端子とエミッタ端子を有し、
前記正極接続端子は、前記振動センサ第一端子、および、前記アノード端子と接続されており、
前記振動センサ第二端子は、前記電解コンデンサ正極端子、および、前記抵抗第一端子と接続されており、
前記電解コンデンサ負極端子は、前記負極接続端子と接続されており、
前記抵抗第二端子は、前記ベース端子と接続されており、
前記コレクタ端子は、前記カソード端子と接続されており、
前記エミッタ端子は、前記負極接続端子と接続されていることを特徴とする電灯。
【請求項２】
収納スペースを備えるドアであって、
請求項１に記載の電灯を前記収納スペースに内蔵していることを特徴とするドア。
【発明の詳細な説明】
【技術分野】
【０００１】
本発明は、振動を受けると、発光ダイオードが自動的に点灯して一定時間点灯した後に、自動的に消灯する電灯に関する。
【背景技術】
【０００２】
電灯の中には、発光ダイオードやランプなどが自動的に点灯して一定時間点灯した後に、自動的に消灯するものがある。
【０００３】
背景技術には、特許文献１、特許文献２がある。
【０００４】
特許文献１に示すトイレ用電灯は、トイレ用電灯を自動的に点灯して一定時間点灯した後に、自動的に消灯することができるが、トイレ用電灯を自動的に点灯して一定時間点灯した後に、自動的に消灯するためには、オルタネイトスイッチ装置をトイレの扉に設置しなければならない。
【０００５】
特許文献２に照明装置は、振動を受けると、ランプを自動的に点灯させて一定時間点灯させた後に、自動的に消灯させることができるが、複雑な電子回路で構成されている。
【特許文献１】特許公開２００５−３０２４８０公報
【特許文献２】特許公開平９−１６３６２８公報
【発明の開示】
【発明が解決しようとする課題】
【０００６】
本発明は、振動を受けると、発光ダイオードが自動的に点灯して一定時間点灯した後に、自動的に消灯する簡易な電子回路で構成される電灯を提供することを目的とする。
【課題を解決するための手段】
【０００７】
上記課題を解決するために、本発明の電灯は、正極接続端子と負極接続端子と発光ダイオードと振動センサと電解コンデンサと抵抗とバイポーラNPN型トランジスタから構成される。
【０００８】
発光ダイオードは、アノード端子とカソード端子を有する。
振動センサは、振動センサ第一端子と振動センサ第二端子を有する。
電解コンデンサは、電解コンデンサ正極端子と電解コンデンサ負極端子を有する。
抵抗は、抵抗第一端子と抵抗第二端子を有する。
バイポーラNPN型トランジスタは、ベース端子とコレクタ端子とエミッタ端子を有する。
正極接続端子は、振動センサ第一端子、および、アノード端子と接続されている。
振動センサ第二端子は、電解コンデンサ正極端子、および、抵抗第一端子と接続されている。
電解コンデンサ負極端子は、負極接続端子と接続されている。
抵抗第二端子は、ベース端子と接続されている。
コレクタ端子は、カソード端子と接続されている。
エミッタ端子は、負極接続端子と接続されている。
【０００９】
本発明の電灯の発光ダイオードを点灯させるためには、本発明の電灯に電源から電流を供給しなければならない。
電源は、電源正極と電源負極を有する。
本発明の電灯に電源から電流を供給するするためには、電源正極と正極接続端子を接続するとともに、電源負極と負極接続端子を接続しなければならない。
【００１０】
本発明の電灯は、電源から電流が供給された後に、振動を受けると、次のような動作をする。
【００１１】
本発明の電灯は、振動を受けると、振動センサは、振動を感知するので、振動センサ第一端子と振動センサ第二端子の間は、通電可能になる。
振動センサ第一端子と振動センサ第二端子の間が通電可能になると、電源正極から電解コンデンサ正極端子と抵抗第一端子に電流が流れ、抵抗第二端子からベース端子に電流が流れる。
電源正極から電解コンデンサ正極端子に電流が流れると、電解コンデンサには、電荷が蓄積される。
振動センサは、振動を感知しなくなると、振動センサ第一端子と振動センサ第二端子の間は通電不能になるので、電源正極から電解コンデンサ正極端子と抵抗第一端子には電流は流れなくなり、抵抗第二端子からベース端子にも電流は流れなくなる。
【００１２】
電源正極から電解コンデンサ正極端子に電流が流れなくなると、電解コンデンサは放電する。
電解コンデンサが放電すると、電解コンデンサ正極端子から抵抗第一端子に電流が流れ、抵抗第二端子からベース端子に電流が流れる。
ベース端子に電流が流れると、コレクタ端子とエミッタ端子の間は通電可能になる。
コレクタ端子とエミッタ端子の間が通電可能になると、電源正極からアノード端子に電流が流れるので、発光ダイオードは点灯する。
電解コンデンサに蓄積された電荷がなくなったら、電解コンデンサ正極端子から抵抗第一端子には電流が流れなくなり、抵抗第二端子からベース端子にも電流が流れなくなるので、コレクタ端子とエミッタ端子の間は通電不能になる。
コレクタ端子とエミッタ端子の間が通電不能になると、電源正極からアノード端子には電流は流れなくなるので、発光ダイオードは消灯する。
【００１３】
本発明の電灯は、電源から電流が供給された後に、振動を受けると、このような動作をするので、本発明の電灯は、振動を受けると、発光ダイオードが自動的に点灯して一定時間点灯した後に、自動的に消灯することができる。
【００１４】
特許文献１に示すトイレ用電灯は、トイレ用電灯を自動的に点灯して一定時間点灯した後に、自動的に消灯することができるが、トイレ用電灯を自動的に点灯して一定時間点灯した後に、自動的に消灯するためには、オルタネイトスイッチ装置をトイレの扉に設置しなければならない。
本発明の電灯は、振動センサが振動を感知すると、振動センサ第一端子と振動センサ第一端子の間が通電可能になることによって、発光ダイオードは、自動的に点灯して、電解コンデンサに蓄積された電荷がなくなるまで点灯して、電解コンデンサに蓄積された電荷がなくなったら自動的に消灯するので、本発明の電灯は、扉や壁などにスイッチを設置しなくても、発光ダイオードを自動的に点灯して一定時間点灯した後に、自動的に消灯させることができる。
【００１５】
特許文献２に照明装置は、振動を受けると、ランプを自動的に点灯させて一定時間点灯させた後に、自動的に消灯させることができるが、複雑な電子回路で構成されている。
本発明の電灯は、正極接続端子と負極接続端子と発光ダイオードと振動センサと電解コンデンサと抵抗とバイポーラNPN型トランジスタから構成されているので、簡易な電子回路で構成されているが、振動を受けると、発光ダイオードを自動的に点灯させて一定時間点灯させた後に、自動的に消灯させることができる。
【発明の効果】
【００１６】
本発明の電灯は、振動センサが振動を感知した際には、発光ダイオードを自動的に点灯させて一定時間点灯させた後に、自動的に消灯させることができる。
【発明を実施するための最良の形態】
【００１７】
図面に基づいて発明を実施するための最良の形態を説明する。
【実施例１】
【００１８】
実施例１の電灯１は、図１に示すように、正極接続端子２と負極接続端子３と発光ダイオード４と振動センサ５と電解コンデンサ６と抵抗７とバイポーラNPN型トランジスタ８を備えている。
【００１９】
発光ダイオード４は、図１に示すように、アノード端子４ａとカソード端子４ｂを有する。
振動センサ５は、図１に示すように、振動センサ第一端子５ａと振動センサ第二端子５ｂを有する。
電解コンデンサ６は、図１に示すように、電解コンデンサ正極端子６ａと電解コンデンサ負極端子６ｂを有する。
抵抗７は、図１に示すように、抵抗第一端子７ａと抵抗第二端子７ｂを有する。
バイポーラNPN型トランジスタ８は、図１に示すように、ベース端子８ａとコレクタ端子８ｂとエミッタ端子８ｃを有する。
正極接続端子２は、図１に示すように、振動センサ第一端子５ａ、および、アノード端子４ａと接続されている。
振動センサ第二端子５ｂは、図１に示すように、電解コンデンサ正極端子６ａ、および、抵抗第一端子７ａと接続されている。
電解コンデンサ負極端子６ｂは、図１に示すように、負極接続端子３と接続されている。
抵抗第二端子７ｂは、図１に示すように、ベース端子８ａと接続されている。
コレクタ端子８ｂは、図１に示すように、カソード端子４ｂと接続されている。
エミッタ端子８ｃは、図１に示すように、負極接続端子３と接続されている。
【００２０】
実施例１の電灯１の発光ダイオード４を点灯させるためには、図２に示すように、実施例１の電灯１に電源９から電流を供給しなければならない。
電源９は、図２に示すように、電源正極９ａと電源負極９ｂを有する。
実施例１の電灯１に電源９から電流を供給するするためには、図２に示すように、電源正極９ａと正極接続端子２を接続するとともに、電源負極９ｂと負極接続端子３を接続しなければならない。
【００２１】
実施例１の電灯１の電解コンデンサ６の静電容量と抵抗７の抵抗値とバイポーラNPN型トランジスタ８の型番は、それぞれ、ありとあらゆるものが考えられるが、電解コンデンサ６の静電容量は４７０μＦ、抵抗７の抵抗値は１００ｋΩ、バイポーラNPN型トランジスタ８の型番は２ＳＣ１８１５にしてもよい。
【００２２】
実施例１の電灯１の振動センサ５にも、ありとあらゆるものがあるが、実施例１の電灯１の振動センサ５には、金属球が内蔵された振動センサ５を用いてもよい。
また、金属球が内蔵された振動センサ５には、図３(ａ)(ｂ)(ｃ)(ｄ)(ｅ)に示すような、第一金属球内蔵振動センサ５ｃ、図４(ａ)(ｂ)(ｃ)(ｄ)(ｅ)に示すような、第二金属球内蔵振動センサ５ｄがある。
第一金属球内蔵振動センサ５ｃと第二金属球内蔵振動センサ５ｄは、それぞれ、図３(ａ)(ｂ)(ｃ)(ｄ)(ｅ)、図４(ａ)(ｂ)(ｃ)(ｄ)(ｅ)に示すように、箱体５ｅａ、金属球５ｅｂ、金属球内蔵振動センサ第一端子５ｅｃ、金属球内蔵振動センサ第二端子５ｅｄ、金属球内蔵振動センサ第一金属線５ｅｅ、金属球内蔵振動センサ第二金属線５ｅｆを備えている。
【００２３】
箱体５ｅａは、図３(ａ)(ｂ)、図４(ａ)(ｂ)に示すように、側面に箱体第一側面５ｅａａ、箱体第二側面５ｅａｂ、箱体第三側面５ｅａｃ、箱体第四側面５ｅａｄを有し、上面に箱体上面５ｅａｅを有し、下面に箱体下面５ａｅｆを有し、箱体第一側面５ｅａａに箱体開口部５ｅａｇを有する。
金属球内蔵振動センサ第一端子５ｅｃ、金属球内蔵振動センサ第二端子５ｅｄは、図３(ｃ)(ｄ)(ｅ)、図４(ｃ)(ｄ)(ｅ)に示すように、箱体開口部５ｅａｇに嵌入して設置されている。
図３(ｃ)(ｄ)(ｅ)、図４(ｃ)(ｄ)(ｅ)に示すように、金属球内蔵振動センサ第一金属線５ｅｅは、金属球内蔵振動センサ第一端子５ｅｃから箱体５ｅａの内部に向けて、金属球内蔵振動センサ第一端子５ｅｃから延出して略直線状に形成されており、金属球内蔵振動センサ第二金属線５ｅｆは、金属球内蔵振動センサ第二端子５ｅｄから箱体５ｅａの内部に向けて、金属球内蔵振動センサ第二端子５ｅｄから延出して略直線状に形成されている。
金属球内蔵振動センサ第一端子５ｅｃ、金属球内蔵振動センサ第二端子５ｅｄ、金属球内蔵振動センサ第一金属線５ｅｅ、金属球内蔵振動センサ第二金属線５ｅｆは、金属で形成されている。
金属には、鉄、アルミニウム、ステンレスなどがある。
【００２４】
金属球５ｅｂは、図３(ｃ)(ｄ)(ｅ)、図４(ｃ)(ｄ)(ｅ)に示すように、金属で形成されているとともに、略球形の形状を有している。
また、金属球５ｅｂは、図３(ｃ)(ｄ)(ｅ)、図４(ｃ)(ｄ)(ｅ)に示すように、箱体５ｅａの内部に内蔵されており、金属球内蔵振動センサ第二金属線５ｅｆに接触している。
【００２５】
第一金属球内蔵振動センサ５ｃ、第二金属球内蔵振動センサ５ｄは、それぞれ、箱体５ｅａの長軸方向の振動を感知すると、金属球５ｅｂが、金属球内蔵振動センサ第二金属線５ｅｆに接触しながら動いて、図３(ｄ)、図４(ｄ)に示すように、金属球内蔵振動センサ第一金属線５ｅｅに接触することによって、金属球内蔵振動センサ第一金属線５ｅｅと金属球内蔵振動センサ第二金属線５ｅｆの間は通電可能になる。
金属球内蔵振動センサ第一金属線５ｅｅと金属球内蔵振動センサ第二金属線５ｅｆの間が通電可能になると、金属球内蔵振動センサ第一端子５ｅｃと金属球内蔵振動センサ第二端子５ｅｄの間は、通電可能になる。
【００２６】
第一金属球内蔵振動センサ５ｃ、第二金属球内蔵振動センサ５ｄは、振動を感知しなくなると、それぞれ、図３(ｅ)、図４(ｅ)に示すように、金属球５ｅｂは金属球内蔵振動センサ第一金属線５ｅｅに接触しなくなるために、金属球内蔵振動センサ第一金属線５ｅｅと金属球内蔵振動センサ第二金属線５ｅｆの間は通電不能になる。
金属球内蔵振動センサ第一金属線５ｅｅと金属球内蔵振動センサ第二金属線５ｅｆの間が通電可能になると、金属球内蔵振動センサ第一端子５ｅｃと金属球内蔵振動センサ第二端子５ｅｄの間は、通電不能になる。
【００２７】
第一金属球内蔵振動センサ５ｃ、第二金属球内蔵振動センサ５ｄは、それぞれ、箱体５ｅａの長軸方向を水平線と平行にして、実施例１の電灯１に設置すると、振動を感知しなくても、金属球５ｅｂが、金属球内蔵振動センサ第一金属線５ｅｅに接触するために、金属球内蔵振動センサ第一端子５ｅｃと金属球内蔵振動センサ第二端子５ｅｄの間は通電可能になることがある。
【００２８】
第一金属球内蔵振動センサ５ｃは、実施例１の電灯１に設置した際に、振動を感知しなくても、金属球内蔵振動センサ第一端子５ｅｃと金属球内蔵振動センサ第二端子５ｅｄの間が通電可能になることを防止するためには、第一金属球内蔵振動センサ５ｃは、箱体第二側面５ｅａｂ、あるいは、箱体第四側面５ｅａｄを上にして、図５(ａ)に示すように、箱体５ｅａの長軸方向を水平線からの角度θを−５度から−１５度ぐらいにして、実施例１の電灯１に設置すればよい。
図５(ａ)では、第一金属球内蔵振動センサ５ｃは、箱体第四側面５ｅａｄを上にして、実施例１の電灯１に設置しているが、第一金属球内蔵振動センサ５ｃは、箱体第二側面５ｅａｂを上にして、実施例１の電灯１に設置してもよい。
【００２９】
第二金属球内蔵振動センサ５ｄは、実施例１の電灯１に設置した際に、振動を感知しなくても、金属球内蔵振動センサ第一端子５ｅｃと金属球内蔵振動センサ第二端子５ｅｄの間が通電可能になることを防止するためには、第二金属球内蔵振動センサ５ｄは、図５(ｂ)に示すように、箱体上面５ｅａｅを上にして、箱体５ｅａの長軸方向を水平線からの角度θを−５度から−１５度ぐらいにして、実施例１の電灯１に設置すればよい。
【００３０】
実施例１の電灯１には、第一金属球内蔵振動センサ５ｃ、あるいは、第二金属球内蔵振動センサ５ｄのうちのいずれか一方を設置すれば、実施例１の電灯１に設置された、第一金属球内蔵振動センサ５ｃ、あるいは、第二金属球内蔵振動センサ５ｄのうちのいずれか一方は、箱体５ｅａの長軸方向の振動を感知すると、金属球内蔵振動センサ第一端子５ｅｃと金属球内蔵振動センサ第二端子５ｅｄの間は通電可能になるので、発光ダイオード４を自動的に点灯させることができる。
しかし、第一金属球内蔵振動センサ５ｃ、第二金属球内蔵振動センサ５ｄは、両方とも、箱体５ｅａの短軸方向の振動を感知する能力は低いので、実施例１の電灯１に、第一金属球内蔵振動センサ５ｃ、あるいは、第二金属球内蔵振動センサ５ｄのうちのいずれか一方のみを設置すると、実施例１の電灯１に設置された、第一金属球内蔵振動センサ５ｃ、あるいは、第二金属球内蔵振動センサ５ｄのうちのいずれか一方は、箱体５ｅａの短軸方向の振動を感知しても、金属球内蔵振動センサ第一端子５ｅｃと金属球内蔵振動センサ第二端子５ｅｄの間は通電可能にならないことによって、発光ダイオード４は自動的に点灯しないことがある。
【００３１】
実施例１の電灯１は、どのような方向の振動を受けても、発光ダイオード４が自動的に点灯しやすくなるようにするためには、実施例１の電灯１には、図６(ａ)に示すように、第一金属球内蔵振動センサと５ｃと第二金属球内蔵振動センサ５ｄの両方を、互いに箱体５ｅａの長軸方向が略直角になるようにして設置すればよい。
実施例１の電灯１に、図６(ａ)に示すように、第一金属球内蔵振動センサ５ｃと第二金属球内蔵振動センサ５ｄの両方を、互いに箱体５ｅａの長軸方向が略直角になるように設置すれば、実施例１の電灯１は、第一金属球内蔵振動センサ５ｃの箱体５ｅａの短軸方向の振動を受ける際には、第二金属球内蔵振動センサ５ｄの箱体５ｅａの長軸方向の振動を受けることになり、第二金属球内蔵振動センサ５ｄの箱体５ｅａの短軸方向の振動を受ける際には、第一金属球内蔵振動センサ５ｃの箱体５ｅａの長軸方向の振動を受けることになるので、実施例１の電灯１は、水平方向の振動に限られるが、どのような方向の振動を受けても、発光ダイオード４は自動的に点灯しやすくなる。
【００３２】
実施例１の電灯１に、第一金属球内蔵振動センサと５ｃと第二金属球内蔵振動センサ５ｄの両方を、図６(ａ)に示すように、互いに箱体５ｅａの長軸方向が略直角になるようにして設置する際にも、振動を感知しなくても、第一金属球内蔵振動センサと５ｃ、あるいは、第二金属球内蔵振動センサ５ｄのうちのいずれか一方、あるいは、両方の金属球内蔵振動センサ第一端子５ｅｃと金属球内蔵振動センサ第二端子５ｅｄの間が通電可能になることを防止するために、第一金属球内蔵振動センサ５ｃは、箱体第二側面５ｅａｂ、あるいは、箱体第四側面５ｅａｄを上にして、図６(ｂ)に示すように、箱体５ｅａの長軸方向を水平線からの角度θを−５度から−１５度ぐらいにして、実施例１の電灯１に設置して、第二金属球内蔵振動センサ５ｄは、図６(ｃ)に示すように、箱体上面５ｅａｅを上にして、箱体５ｅａの長軸方向を水平線からの角度θを−５度から−１５度ぐらいにして、実施例１の電灯１に設置しなければならない。
図６(ｂ)では、第一金属球内蔵振動センサ５ｃは、箱体第四側面５ｅａｄを上にして、実施例１の電灯１に設置しているが、第一金属球内蔵振動センサ５ｃは、箱体第二側面５ｅａｂを上にして、実施例１の電灯１に設置してもよい。
【００３３】
第一金属球内蔵振動センサ５ｃと第二金属球内蔵振動センサ５ｄは、図７に示すように、第一金属球内蔵振動センサ５ｃの金属球内蔵振動センサ第一端子５ｅｃと第二金属球内蔵振動センサ５ｄの金属球内蔵振動センサ第一端子５ｅｃを接続して、第一金属球内蔵振動センサ５ｃの金属球内蔵振動センサ第一端子５ｅｃと第二金属球内蔵振動センサ５ｄの金属球内蔵振動センサ第二端子５ｅｄを接続することによって、並列に接続されている。
第一金属球内蔵振動センサ５ｃと第二金属球内蔵振動センサ５ｄは、図７に示すように、並列に接続されているので、第一金属球内蔵振動センサ５ｃ、あるいは、第二金属球内蔵振動センサ５ｄのうちのいずれか一方、あるいは、両方が振動を感知して、第一金属球内蔵振動センサ５ｃ、あるいは、第二金属球内蔵振動センサ５ｄのうちのいずれか一方、あるいは、両方の金属球内蔵振動センサ第一端子５ｅｃと金属球内蔵振動センサ第二端子５ｅｄの間が通電可能になれば正極接続端子２と電解コンデンサ正極端子６ａ、および、抵抗第一端子７ａの間は通電可能になる。
【００３４】
振動センサ５が、第一金属球内蔵振動センサ５ｃ、あるいは、第二金属球内蔵振動センサ５ｄのうちのいずれか一方、あるいは、両方である際には、振動センサ第一端子５ａは、金属球内蔵振動センサ第一端子５ｅｃであり、振動センサ第二端子５ｂは、金属球内蔵振動センサ第二端子５ｅｄである。
【００３５】
電源９は9.0Ｖの電池、あるいは、直流電源にしてもよい。
電源９を9.0Ｖ以下の電池、あるいは、直流電源にして、実施例１の電灯１に電流を供給しても、発光ダイオード４を点灯させることはできるが、電源９を9.0Ｖの電池、あるいは、直流電源にして、実施例１の電灯１に電流を供給したほうが、発光ダイオード４が点灯した際に生じる光は明るくなる。
【００３６】
実施例１の電灯１は、電解コンデンサ６の静電容量を４７０μＦ、抵抗７の抵抗値を１００ｋΩ、バイポーラNPN型トランジスタ８の型番を２ＳＣ１８１５、電源９を9.0Ｖの電池にして、振動を受けると、発光ダイオード４は、９０秒から１２０秒くらい点灯している。
【００３７】
実施例１の電灯１の使用方法について説明する。
実施例１の電灯１は、図８(ａ)に示すように、収納ケース１０の内部に設置する。
収納ケース１０には、図８(ａ)に示すように、収納ケース開口部１１が設けられていて、ひも１２が通せるようになっている。
収納ケース１０は、発光ダイオード４が点灯した際に、外部を照らすことができるようにするために、図８(ａ)に示すように、少なくとも一部を透明、あるいは、半透明にしなければならない。
図８(ａ)には、発光ダイオード４は、１つしか設置していないが、２つ以上設置してもよい。
ドア１３は、図８(ｂ)(ｃ)に示すように、ドアノブ１４を有する。
収納ケース１０は、図８(ｂ)(ｃ)に示すように、ひも１２をドアノブ１４に引っ掛けることによって、ドアノブ１４に吊り下げる。
ドア１３は、開閉するものでも、横方向に動くものでもよい。
実施例１の電灯１は、ドアノブ１４以外にも、ドア１３に設置されているフックなどに吊り下げてもよい。
【００３８】
ドア１３が開くと、図９(ａ)に示すように、振動センサ５は、振動を感知するので、振動センサ第一端子５ａと振動センサ第二端子５ｂの間は、通電可能になる。
振動センサ第一端子５ａと振動センサ第二端子５ｂの間が通電可能になると、電源正極９ａから電解コンデンサ正極端子６ａと抵抗第一端子７ａに電流が流れ、抵抗第二端子７ｂからベース端子８ａに電流が流れる。
電源正極９ａから電解コンデンサ正極端子６ａに電流が流れると、電解コンデンサ６には、電荷が蓄積される。
振動センサ５は、振動を感知しなくなると、振動センサ第一端子５ａと振動センサ第二端子５ｂの間は通電不能になるので、電源正極９ａから電解コンデンサ正極端子６ａと抵抗第一端子７ａには電流は流れなくなり、抵抗第二端子７ｂからベース端子８ａにも電流は流れなくなる。
【００３９】
電源正極９ａから電解コンデンサ正極端子６ａに電流が流れなくなると、電解コンデンサ６は放電する。
電解コンデンサ６が放電すると、電解コンデンサ正極端子６ａから抵抗第一端子７ａに電流が流れ、抵抗第二端子７ｂからベース端子８ａに電流が流れる。
ベース端子８ａに電流が流れると、コレクタ端子８ｂとエミッタ端子８ｃの間は通電可能になる。
コレクタ端子８ｂとエミッタ端子８ｃの間が通電可能になると、電源正極９ａからアノード端子４ａに電流が流れるので、発光ダイオード４は点灯する。
電解コンデンサ６に蓄積された電荷がなくなったら、電解コンデンサ正極端子６ａから抵抗第一端子７ａには電流が流れなくなり、抵抗第二端子７ｂからベース端子８ａにも電流が流れなくなるので、コレクタ端子８ｂとエミッタ端子８ｃの間は通電不能になる。
コレクタ端子８ｂとエミッタ端子８ｃの間が通電不能になると、電源正極９ａからアノード端子４ａには電流は流れなくなるので、発光ダイオード４は消灯する。
【００４０】
実施例１の電灯１は、電源９から電流が供給された後に、振動を受けると、このような動作をするので、発光ダイオード４を自動的に点灯させて一定時間点灯させた後に、自動的に消灯させることができる。
【００４１】
ドア１３を開けても、発光ダイオード４が点灯しない際には、ドア１３を振る、叩く、強く閉めるなどをすれば、実施例１の電灯１は、振動を感知して発光ダイオード４は点灯する。
【００４２】
収納ケース１０は、図９(ｂ)(ｃ)に示すように、テープ１５で、ドア１３に貼り付けると、実施例１の電灯１は、より振動を感知しやすくなる。
【００４３】
実施例１の電灯１は、玄関や部屋のドア１３に設置して、夜になってから家に帰って来たときに、玄関や部屋の明かりのスイッチを探すために、暗くなっている玄関や部屋の中を発光ダイオード４で照らすようなことのために使用することができる。
【００４４】
発光ダイオード４には、一般発光ダイオードと高光度発光ダイオードがある。
一般発光ダイオードは、点灯した際には、２０mcd以上で１５００mcd未満の光度の光が生じる。
高光度発光ダイオードは、点灯した際には、１５００mcd以上の光度の光が生じる。
実施例１の電灯１の発光ダイオード４に高発光ダイオードを用いた際には、実施例１の電灯１の発光ダイオード４に一般発光ダイオードを用いた際よりも、実施例１の電灯１の発光ダイオード４から明るい光を生じさせることができる。
【実施例２】
【００４５】
実施例２のドア１３は、図１０(ａ)(ｂ)(ｃ)(ｄ)に示すように、収納スペース１６を備えており、収納スペース１６の内部に、実施例１の電灯１を内蔵している。
【００４６】
ドア１３は、発光ダイオード４が外部を照らすことができるようにするために、図１０(ａ)(ｂ)(ｃ)(ｄ)に示すように、一部を透明、あるいは、半透明にしなければならない。
【００４７】
実施例２のドア１３は、図１０(ａ)(ｂ)(ｃ)(ｄ)に示すように、設置スペース１６を設けて、収納スペース１６の内部に、実施例１の電灯１を内蔵しているので、図８(ａ)(ｂ)(ｃ)、図９(ａ)(ｂ)(ｃ)に示すように、実施例１の電灯１を収納ケース１０に設置して、ドアノブ１４に吊り下げなくても、実施例２のドア１３を開閉すれば、実施例１の電灯１は振動を受けるので、発光ダイオード４から生じる光で玄関や部屋を照らすことができる。
【図面の簡単な説明】
【００４８】
【図１】実施例１の電灯１の回路図である。
【図２】実施例１の電灯１に電源９が接続された状態の回路図である。
【図３】(ａ)第一金属球内蔵振動センサ５ｃを箱体第一側面５ｅａａ側から見た図である。(ｂ)第一金属球内蔵振動センサ５ｃを箱体第二側面５ｅａｂ側から見た図である。(ｃ)第一金属球内蔵振動センサ５ｃを箱体第二側面５ｅａｂ側から見た断面図である。(ｄ)金属球５ｅｂが金属球内蔵振動センサ第一金属線５ｅｅと接触した状態を示す第一金属球内蔵振動センサ５ｃの断面図である。(ｅ)金属球５ｅｂが金属球内蔵振動センサ第一金属線５ｅｅと接触しなくなった状態を示す第一金属球内蔵振動センサ５ｃの断面図である。
【図４】(ａ)第二金属球内蔵振動センサ５ｄを箱体第一側面５ｅａａ側から見た図である。(ｂ)第二金属球内蔵振動センサ５ｄを箱体第二側面５ｅａｂ側から見た図である。(ｃ)第二金属球内蔵振動センサ５ｄを箱体第二側面５ｅａｂ側から見た断面図である。(ｄ)金属球５ｅｂが金属球内蔵振動センサ第一金属線５ｅｅと接触した状態を示す第二金属球内蔵振動センサ５ｄの断面図である。(ｅ)金属球５ｅｂが金属球内蔵振動センサ第一金属線５ｅｅと接触しなくなった状態を示す第二金属球内蔵振動センサ５ｄの断面図である。
【図５】(ａ)第一金属球内蔵振動センサ５ｃを実施例１の電灯１に設置する状態を示した図である。(ｂ)第二金属球内蔵振動センサ５ｄを実施例１の電灯１に設置する状態を示した図である。
【図６】(ａ)第一金属球内蔵振動センサ５ｃと第二金属球内蔵振動センサ５ｄを互いに箱体５ｅａの長軸方向が略直角になるようにして実施例１の電灯１に設置する状態を第一金属球内蔵振動センサ５ｃの箱体５ｅａの箱体第四側面５ｅａｄ側から見た図である。(ｂ)第一金属球内蔵振動センサ５ｃと第二金属球内蔵振動センサ５ｄを互いに箱体５ｅａの長軸方向が略直角になるようにして実施例１の電灯１に設置する状態を第二金属球内蔵振動センサ５ｄの箱体５ｅａの箱体第三側面５ｅａｃ側から見た図である。(ｃ)第一金属球内蔵振動センサ５ｃと第二金属球内蔵振動センサ５ｄを互いに箱体５ｅａの長軸方向が略直角になるようにして実施例１の電灯１に設置する状態を第二金属球内蔵振動センサ５ｄの箱体５ｅａの箱体第二側面５ｅａｂ側から見た図である。
【図７】第一金属球内蔵振動センサ５ｃと第二金属球内蔵振動センサ５ｄを並列に接続した状態の回路図である。
【図８】(ａ)収納ケース１０を正面から見た図である。(ｂ)収納ケース１０をドア１３のドアノブ１４に吊り下げた図である。(ｃ)(ｂ)のドアノブ１４とドアノブ１４の近傍の拡大図である。
【図９】(ａ)ドア１３が開いた状態を示す図である。(ｂ)収納ケース１０をテープ１５でドア１３に貼り付けた状態を示す図である。(ｃ)(ｂ)のドアノブ１４とドアノブ１４の近傍の拡大図である。
【図１０】(ａ)実施例２のドア１３を正面から見た図である。(ｂ)(ａ)の収納スペース１６と収納スペース１６の近傍の拡大図である。(ｃ)ドア１３が開いた状態の実施例２のドア１３を斜め方向から見た図である。(ｄ)(ｃ)の収納スペース１６と収納スペース１６の近傍の拡大図である。
【符号の説明】
【００４９】
１              電灯
２              正極接続端子
３              負極接続端子
４              発光ダイオード
４ａ            アノード端子
４ｂ            カソード端子
５              振動センサ
５ａ            振動センサ第一端子
５ｂ            振動センサ第二端子
５ｃ            第一金属球内蔵振動センサ
５ｄ            第二金属球内蔵振動センサ
５ｅａ          箱体
５ｅａａ        箱体第一側面
５ｅａｂ        箱体第二側面
５ｅａｃ        箱体第三側面
５ｅａｄ        箱体第四側面
５ｅａｅ        箱体上面
５ｅａｆ        箱体下面
５ｅａｇ        箱体開口部
５ｅｂ          金属球
５ｅｃ          金属球内蔵振動センサ第一端子
５ｅｄ          金属球内蔵振動センサ第二端子
５ｅｅ          金属球内蔵振動センサ第一金属線
５ｅｆ          金属球内蔵振動センサ第二金属線
６              電解コンデンサ
６ａ            電解コンデンサ正極端子
６ｂ            電解コンデンサ負極端子
７              抵抗
７ａ            抵抗第一端子
７ｂ            抵抗第二端子
８              バイポーラNPN型トランジスタ
８ａ            ベース端子
８ｂ            コレクタ端子
８ｃ            エミッタ端子
９              電源
９ａ            電源正極
９ｂ            電源負極
１０            収納ケース
１１            収納ケース開口部
１２            ひも
１３            ドア
１４            ドアノブ
１５            テープ
１６            設置スペース
θ              角度
【図１】
2014007035.tif 000003
【図２】
2014007035.tif 000004
【図３】
2014007035.tif 000005
【図４】
2014007035.tif 000006
【図５】
2014007035.tif 000007
【図６】
2014007035.tif 000008
【図７】
2014007035.tif 000009
【図８】
2014007035.tif 000010
【図９】
2014007035.tif 000011
【図１０】
2014007035.tif 000012